(57)【特許請求の範囲】
【請求項１】
吸込口と吹出口を形成し、内部に送風手段を設けた本体と、この本体内に設けられる送風手段の空気流路に配設される芳香族ヒドロキシル化合物を具備した抗アレルゲンフィルターとを備え、前記本体に設けられる吸込口を床面に沿って吸込空気流が形成されるように前面下方部に設け、吹出口を本体の一側面の上部と他側面の下部に設け、本体の側面に補助吸込口を設け、本体の側面の下方部に設けられるほこりセンサと、このほこりセンサでほこりを検出したときに、前記本体の運転を自動的に行う構成とした空気清浄機。
【請求項２】
本体の側面に設けられる補助吸込口の前方に、前方側より前記補助吸込口が直視できないように前記本体の側面より突出する遮へい部を設けた請求項１記載の空気清浄機。
【請求項３】
本体の内部に設けられる脱臭フィルターと、前記本体の上部に設けられるガスセンサとを備え、前記ガスセンサによりガスを検出したときに、前記本体の運転を自動的に行う構成とした請求項１または２記載の空気清浄機。
【発明の詳細な説明】
【０００１】
【発明の属する技術分野】
本発明は、ダニや花粉等によるアレルゲンを低減することのできる空気清浄機に関するものである。
【０００２】
【従来の技術】
従来、この種の空気清浄機として、前面から汚染空気を吸い込み上面から清浄空気を吹き出すものが知られている（例えば特許文献１参照）。以下、その空気清浄機について図６を参照しながら説明する。
【０００３】
図６に示すように、吸込口１０１を前面に有し、上面に上方に向いた吹出口１０２を設け、内部に送風装置１０３を収容した本体ケース１０４と吸込口１０１に設けられるフィルター１０５により構成していた。
【０００４】
また、ダニや花粉等のアレルゲンを低減化することのできるアレルゲン低減化剤については知られている（例えば特許文献２参照）。
【０００５】
【特許文献１】
特公昭６３−４５６０７号公報（第２頁〜第３頁、第４図）
【特許文献２】
特開２００３−８１７２７号公報（［００３３］、表１）
【０００６】
【発明が解決しようとする課題】
このような従来の空気清浄機の構成では、吸込口１０１を本体ケース１０４の略前面全体に設け、上面の吹出口１０２より上方に吹き出すものであるため、本体ケース１０４前面の吸込口１０１からたばこの煙や浮遊粉塵を吸い込みフィルター１０５に捕集できるが、室内の床面に落ちた花粉および綿ぼこり等に含まれるダニの死骸やふん等は吸い込みにくく、人の動きなどで床面のほこりが舞い上がると人体に悪影響を与え、フィルター１０５に捕集した場合でも完全には不活化できないという課題があった。
【０００７】
本発明は、従来の課題を解決するもので、床面近傍にある花粉やダニの死骸などを効率良く吸い込み、抗アレルギー特性を長期間発揮できる空気清浄機を提供することを目的とする。
【００１２】
【課題を解決するための手段】
本発明は、上記従来の課題を解決するために、吸込口と吹出口を形成し、内部に送風手段を設けた本体と、この本体内に設けられる送風手段の空気流路に配設される芳香族ヒドロキシル化合物を具備した抗アレルゲンフィルターとを備え、前記本体に設けられる吸込口を床面に沿って吸込空気流が形成されるように前面下方部に設け、吹出口を本体の一側面の上部と他側面の下部に設け、本体の側面に補助吸込口を設け、本体の側面の下方部に設けられるほこりセンサと、このほこりセンサでほこりを検出したときに、前記本体の運転を自動的に行う構成としたものである。
【００１３】
また、本体の側面に設けられる補助吸込口の前方に、前方側より前記補助吸込口が直視できないように前記本体の側面より突出する遮へい部を設けたものである。
【００１４】
また、本体の内部に設けられる脱臭フィルターと、前記本体の上部に設けられるガスセンサとを備え、前記ガスセンサによりガスを検出したときに、前記本体の運転を自動的に行う構成としたものである。
【００１９】
請求項１に記載の発明は、吸込口と吹出口を形成し、内部に送風手段を設けた本体と、この本体内に設けられる送風手段の空気流路に配設される芳香族ヒドロキシル化合物を具備した抗アレルゲンフィルターとを備え、前記本体に設けられる吸込口を床面に沿って吸込空気流が形成されるように前面下方部に設け、吹出口を本体の一側面の上部と他側面の下部に設け、本体の側面に補助吸込口を設け、本体の側面の下方部に設けられるほこりセンサと、このほこりセンサでほこりを検出したときに、前記本体の運転を自動的に行う構成としたことにより、床面上または床面から舞い上がる花粉やダニの死骸などが効率良く吸込口に吸い込まれ、抗アレルゲンフィルターによりアレルギー活性を不活化し、本体の側面から吹き出された気流は、部屋の壁面に沿って流れて循環し、床面近傍に浮遊するアレルゲン物質を含むほこり等を吸込口に案内し、人の移動等に伴ない舞い上がるほこり等をほこりセンサで即座に検出して空気清浄機をタイミング良く運転することができ、本体の前面側だけでなく、側面側からも吸い込むことにより、室内に舞い上がるほこり等を広範囲に取り込むことができ、室内のアレルギー物質をさらに少なくすることができる。
【００２０】
請求項２に記載の発明は、本体の側面に設けられる補助吸込口の前方に、前方側より前記補助吸込口が直視できないように、前記本体の側面より突出する遮へい部を設けたことにより、補助吸込口から発生する騒音を遮へい部で遮音することができるとともに、汚れ易い補助吸込口が前方から直視できないようにしてデザイン性の向上を図ることができる。
【００２１】
請求項３に記載の発明は、本体の内部に設けられる脱臭フィルターと、前記本体の上部に設けられるガスセンサとを備え、前記ガスセンサによりガスを検出したときに、前記本体の運転を自動的に行う構成としたことにより、上方に拡散し易いガス成分を、本体の上部に設けたガスセンサで即座に検出して空気清浄機をタイミング良く運転することができ、たばこの臭いやアンモニア臭等を効果的に除去することができる。
【００２２】
以下、本発明の実施例について図面を参照しながら説明する。
【００２３】
【実施例】
（実施例１）
図１〜図５に示すように、内部に送風手段１を設けた本体２の前面下方部に本体２の設置されている床面３に沿って吸込空気流が形成される吸込口４と本体２の両側面に吹出口５を設ける。
【００２４】
送風手段１の空気流路に抗アレルゲンフィルター６と脱臭フィルター７を配置する。抗アレルゲンフィルター６はポリ−４−ビニルフェノールからなる芳香族ヒドロキシル化合物をガラス繊維製の高性能フィルターに塗布したものであるが、フィルターは不織布、エレクトレットフィルター、ハニカムフィルター、ヘパフィルターなどに使用可能であり、必要に応じて適宣選択できるものである。
【００２５】
また、本体２の側面に補助吸込口８を設け、補助吸込口８の前方に前方側より補助吸込口８が直視できないように本体２の側面より突出する遮へい部９を設ける。本体２の下方部にほこりセンサ１０を設け、このほこりセンサ１０で検出したときに本体２に組み込まれた送風手段１を自動的に運転するように設ける。
【００２６】
また、本体２の上部にガスセンサ１１を設け、ガスセンサ１１でガスを検出したときには本体２の内部に設けた送風手段１を自動的に運転し、本体２の内部に設けた脱臭フィルター７により脱臭を行うように構成する。
【００２７】
上記構成において、空気清浄機の本体２が設置されている床面３近傍に花粉やほこり等の存在がほこりセンサ１０で検出されると、ほこりセンサ１０からの信号を受け制御部（図示せず）を介して送風手段１が自動的に運転される。このとき本体２の下方部に設けた吸込口４により、床面３に沿う吸込空気流が形成され、床面３近傍の花粉やほこり等が吸込口４に吸い込まれ、本体２内に設けた抗アレルゲンフィルター６により、ほこり内にある花粉およびダニの死骸等が捕集され、抗アレルゲンフィルター６で不活化されることとなる。
【００２８】
また、たばこの煙やアンモニアガス等を本体２の上部に設けたガスセンサ１１で検出されると、ガスセンサ１１からの信号を受け制御部を介して送風手段１が自動的に運転され、本体２内に設けた脱臭フィルター７によりたばこの臭いや、アンモニア臭等を除去することとなる。
【００２９】
このように本発明の実施例１の空気清浄機によれば、吸込口４と吹出口５を形成し、内部に送風手段１を設けた本体２内に送風手段１の空気流路に配設される芳香族ヒドロキシル化合物を具備した抗アレルゲンフィルター７を設け、本体２に設けられる吸込口４を空気清浄機の本体２の設置される床面３に沿って吸込空気流が形成されるように前面下方部に設けることにより、室内の床面３に落ちたあとに舞い上がる花粉や綿ぼこり等に含まれるダニの死骸やふんを、本体２の下方部から効率良く吸い込み、抗アレルゲンフィルター７で不活化することができ、ほこりが再飛散した場合にもアレルギー活性の不活化を維持することができる。
【００３０】
また、芳香族ヒドロキシル化合物を、ポリ−４−ビニルフェノールにより構成することにより、フィルターに水分が付着してもフィルターからポリ−４−ビニルフェノールは脱離せず、長期間安定した抗アレルゲン効果をもたらすことができる。
【００３１】
また、吹出口５を本体２の両側面に設けたことにより、吹出口５から吹き出された２つの気流が左右の壁面に沿って流れ吸込口４に循環されることとなり、床面３上に浮遊するアレルゲン物質を含むほこり等を吸込口４に有効に案内することができる。
【００３２】
また、本体２の下方部にほこりセンサ１０を設け、ほこりセンサ１０がほこりを検出したときに、本体２を自動的に運転する構成としたことにより、床面３より舞い上がるほこりをほこりセンサ１０で検出して本体２が自動的に運転されることとなり、タイミング良くアレルゲン物質を除去することができる。
【００３３】
また、本体２の側面に補助吸込口８を設けたことにより、室内に浮遊するほこりを床面上の３方向に渡る広範囲から吸い込むことができ、室内のアレルゲン物質を更に少なくすることができる。
【００３４】
また、本体２の側面に設けられる補助吸込口８の前方に、前方側より補助吸込口８が直視できないように本体２の側面より突出する遮へい部９を設けたことにより、補助吸込口８から発生する騒音が遮へい部９で遮音されるとともに、補助吸込口８の汚れが本体２の前方から直視されなくなり、清潔な感じの外観を呈することでデザイン性の向上も図ることができる。
【００３５】
また、本体２の内部に脱臭フィルター７を設け、本体の上部にガスセンサ１１を設け、ガスセンサ１１によりガスを検出したときに本体２の運転を自動的に行うことにより、ガスセンサ１１により検出されたガスは脱臭フィルター７で脱臭され、ガス成分のたばこの臭いや、アンモニア臭の除去がタイミング良く効果的に行うことができる。
【００４０】
【発明の効果】
以上の実施例から明らかなように、本発明によれば吸込口と吹出口を形成し、内部に送風手段を設けた本体と、この本体内に設けられる送風手段の空気流路に配設される芳香族ヒドロキシル化合物を具備した抗アレルゲンフィルターとを備え、前記本体に設けられる吸込口を床面に沿って吸込空気流が形成されるように前面下方部に設け、吹出口を本体の一側面の上部と他側面の下部に設け、本体の側面に補助吸込口を設け、本体の側面の下方部に設けられるほこりセンサと、このほこりセンサでほこりを検出したときに、前記本体の運転を自動的に行う構成としたので、床面近傍に存在する花粉やダニの死骸を含むほこり等を効率良く吸い込み、アレルギー活性を不活化でき、床面近傍に舞い上がったアレルゲン物質を含むほこり等を吸込口側へ案内することができ、効率良くアレルゲン物質を除去でき、タイミング良く空気清浄機を運転してアレルゲン物質を除去することができ、広範囲からほこりを吸い込むことができ、室内のアレルゲン物質をさらに少なくすることができる。
【００４１】
また、本体の側面に設けられる補助吸込口の前方に前方側より前記補助吸込口が直視できないように前記本体の側面より突出する遮へい部を設けたので、補助吸込口から発生する騒音を低減し、補助吸込口の汚れが見えず清潔な外観を呈することによりデザイン性の向上も図れる。
【００４２】
また、本体の内部に設けられる脱臭フィルターと、前記本体の上部に設けられるガスセンサとを備え、前記ガスセンサにより悪臭成分などのガスを検出したときに、前記本体の運転を自動的に行う構成としたので、空気清浄機をタイミング良く運転することができ、たばこの臭いやアンモニア臭等に対しても効果的に除去することができる。
【図面の簡単な説明】
【図１】本発明の空気清浄機の構成を示す縦断面図
【図２】同空気清浄機の右側から見た斜視図
【図３】同空気清浄機の左側から見た斜視図
【図４】同空気清浄機の送風手段構成を示す断面図
【図５】同空気清浄機の補助吸込口と遮へい部の関係を示す横断面図
【図６】従来の空気清浄機の断面図
【符号の説明】
１    送風手段
２    本体
３    床面
４    吸込口
５    吹出口
６    抗アレルゲンフィルター
７    脱臭フィルター
８    補助吸込口
９    遮へい部
１０  ほこりセンサ
１１  ガスセンサ
【図１】
0004720071.tif 000002
【図２】
0004720071.tif 000003
【図３】
0004720071.tif 000004
【図４】
0004720071.tif 000005
【図５】
0004720071.tif 000006
【図６】
0004720071.tif 000007